(57)【要約】      （修正有）【課題】クリーニング店員の手間を低減することが可能なクリーニングタッグを提供する。【解決手段】本体部１０は、短手方向のサイズＬがワイシャツを含む洋服のボタンホールに挿通されるサイズである細長帯状の形状であって、耐洗紙より構成される。又、丸み角部１１ａ、１１ｂ、１２ａ、１２ｂは、前記本体部１０の長手方向の両端部１１、１２（一方の端部１１、他方の端部１２）の全ての角部をそれぞれ切断することで、当該全ての角部に丸みを帯びるように構成される。前記本体部１０の長手方向の一方の端部１１が、前記ボタンホールに挿通され、前記本体部１０の一部にホッチキスで止着されることで、本クリーニングタッグ１が前記洋服に取り付けられ、本クリーニングタッグ１をワイシャツのボタンホールに挿通して止着するまでに要する止着時間を、長手方向の両端部の全ての角部が角状であるクリーニングタッグの止着時間と比較して短くする。【選択図】図１
0003203792.tif 000002
【実用新案登録請求の範囲】
【請求項１】
短手方向のサイズがワイシャツを含む洋服のボタンホールに挿通されるサイズである細長帯状の形状であって、耐洗紙より構成される本体部と、
前記本体部の長手方向の両端部の全ての角部をそれぞれ切断することで、当該全ての角部に丸みを帯びるように構成される丸み角部と、
を備え、
前記本体部の長手方向の一方の端部が、前記ボタンホールに挿通され、前記本体部の一部にホッチキスで止着されることで、本クリーニングタッグが前記洋服に取り付けられ、
本クリーニングタッグを前記ボタンホールに挿通してから止着するまでに要する止着時間を、長手方向の両端部の全ての角部が角状であるクリーニングタッグの止着時間と比較して短くするクリーニングタッグ。
【考案の詳細な説明】
【技術分野】
【０００１】
本考案は、クリーニングタッグに関する。
【背景技術】
【０００２】
従来より、例えば、意匠登録第０７７１３５９号公報（特許文献１）、意匠登録第１４１５４４５号公報（特許文献２）、昭和６０年実用新案出願公開第０１７３５９号（特許文献３）には、ものや生物などに取り付ける小さな札・ラベル等の分野では、基本形状を細長帯状としたものが存在する。
【先行技術文献】
【特許文献】
【０００３】
【特許文献１】意匠登録第０７７１３５９号公報
【特許文献２】意匠登録第１４１５４４５号公報
【特許文献３】昭和６０年実用新案出願公開第０１７３５９号
【考案の概要】
【考案が解決しようとする課題】
【０００４】
クリーニング店での洗濯物の大半は、殆どワイシャツであり、クリーニング店員が、洗濯物のワイシャツのボタンホールに、クリーニングタッグを挿通させて、クリーニングタッグの両端部を止着して、ワイシャツにクリーニングタッグを装着させる。
【０００５】
ここで、従来のクリーニングタッグでは、細長帯状の両端部が角状であるため、当該クリーニングタッグの一方の端部が、ボタンホールの縫製後の糸に引っ掛かり、クリーニング店員が、当該クリーニングタッグの一方の端部をボタンホールに挿通させ難く、手間や時間が掛かるという課題がある。
【０００６】
又、従来のクリーニングタッグでは、細長帯状の四つの角部が角状であるため、従来のクリーニングタッグを取り付けた洗濯物を洗濯機で洗濯している最中に、この角部が洗濯物に引っ掛かり、当該洗濯物が損傷するという課題がある。
【０００７】
上述の特許文献１、２に記載の技術では、細長帯状の一方の端部が角状であり、上述の課題を解決することが出来ない。又、上述の特許文献３に記載の技術は、従来のクリーニングタッグと同様に、細長帯状の両端部の全てが角状であり、上述の課題を解決することが出来ない。
【０００８】
そこで、本考案は、前記課題を解決するためになされたものであり、クリーニング店員の操作性に優れ、クリーニング店員の手間を軽減することが可能なクリーニングタッグを提供することを目的とする。
【課題を解決するための手段】
【０００９】
本考案に係るクリーニングタッグは、本体部と、丸み角部と、を備える。本体部は、短手方向のサイズがワイシャツを含む洋服のボタンホールに挿通されるサイズである細長帯状の形状であって、耐洗紙より構成される。丸み角部は、前記本体部の長手方向の両端部の全ての角部をそれぞれ切断することで、当該全ての角部に丸みを帯びるように構成される。又、本考案は、前記本体部の長手方向の一方の端部が、前記ボタンホールに挿通され、前記本体部の一部にホッチキスで止着されることで、本クリーニングタッグが前記洋服に取り付けられる。又、本考案は、本クリーニングタッグを前記ボタンホールに挿通してから止着するまでに要する止着時間を、長手方向の両端部の全ての角部が角状であるクリーニングタッグの止着時間と比較して短くする。
【考案の効果】
【００１０】
本考案によれば、クリーニング店員の操作性に優れ、クリーニング店員の手間を軽減することが可能となる。
【図面の簡単な説明】
【００１１】
【図１】本考案の実施形態に係るクリーニングタッグの一例を示す平面図、正面図、右側面図である。
【図２】本考案の実施形態に係るクリーニングタッグと従来のクリーニングタッグのボタンホールへの取り付けの一例を示す図である。
【図３】本考案の実施形態に係るクリーニングタッグの取り付け手順の一例を示す図である。
【図４】本考案の実施形態に係るクリーニングタッグと従来のクリーニングタッグの両端部の重ね合わせ確認の一例を示す図である。
【図５】本考案の実施形態に係るクリーニングタッグの取り付け後の洗濯物の一例を示す図である。
【図６】本考案の実施形態に係るクリーニングタッグの丸み角部の変形例を示す図である。
【図７】本考案の実施形態に係るクリーニングタッグの構成及び変形例を示す図である。
【図８】実施例１、比較例１のクリーニングタッグの評価試験の結果の一例を示す図である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係るクリーニングタッグ１は、図１に示すように、本体部１０と、丸み角部１１ａ、１１ｂ、１２ａ、１２ｂとを備える。本体部１０は、短手方向のサイズＬがワイシャツを含む洋服のボタンホールに挿通されるサイズである細長帯状の形状であって、耐洗紙より構成される。又、丸み角部１１ａ、１１ｂ、１２ａ、１２ｂは、前記本体部１０の長手方向の両端部１１、１２（一方の端部１１、他方の端部１２）の全ての角部をそれぞれ切断することで、当該全ての角部に丸みを帯びるように構成される。尚、図１のクリーニングタッグにおいて、底面図は、平面図と対称にあらわれ、背面図は、正面図と対称にあらわれ、左側面図は、右側面図と対称にあらわれるため、省略する。
【００１４】
ここで、クリーニング店員が、図２に示すように、洗濯物のワイシャツのボタンホールＨに、本考案に係るクリーニングタッグ１を挿通させる場合、当該クリーニングタッグ１の一方（又は他方の）端部の角部が丸みを帯びた丸み角部であることで、当該クリーニングタッグ１の一方の端部が、ボタンホールＨに縫製された糸に引っ掛かることが無く、クリーニング店員が、当該クリーニングタッグ１の一方の端部を円滑にボタンホールＨに挿通させることが可能となる。そのため、クリーニング店員の操作性を向上させる。
【００１５】
一方、従来のクリーニングタッグ２では、図２に示すように、クリーニングタッグ２の一方の端部の角部が角状であることで、当該クリーニングタッグ２の一方の端部が、ボタンホールＨの縫製後の糸に引っ掛かり、クリーニング店員が、当該クリーニングタッグ２の一方の端部をボタンホールＨに挿通させ難く、時間や手間が掛かる。特に、クリーニングタッグの短手方向のサイズがボタンホールＨの開口サイズと同一であると、上述の引っ掛かりは特に頻発する。
【００１６】
又、本考案に係るクリーニングタッグ１は、一方の端部１１、他方の端部１２の全ての角部に丸みを帯びるように構成しているため、クリーニング店員は、いずれの端部１１、１２からでも、ワイシャツのボタンホールＨに挿通することが出来る。
【００１７】
特に、ワイシャツ等の洋服では、男性用の洋服のボタンホールの位置と女性用の洋服のボタンホールの位置は異なり、一般的に、男性用の洋服のボタンホールは、左側の前身頃（シャツの胴の部分の前のこと）に位置し、女性用の洋服のボタンホールは、右側の前身頃に位置する。そのため、例えば、クリーニングタッグの一方の端部の二つの角部だけ丸み角部としても、男女用のワイシャツのボタンホールに対応することが出来ない。
【００１８】
本考案に係るクリーニングタッグ１は、両方の端部１１、１２の角部を全て切断して丸み角部１１ａ、１１ｂ、１２ａ、１２ｂとしていることから、クリーニング店員がクリーニングタッグ１をワイシャツに装着する際に、男性用か女性用かでワイシャツのボタンホールＨの位置が異なっていても、クリーニング店員が、クリーニングタッグ１の持ち方を変えることなく同じ持ち方で、一方の端部１１、他方の端部１２のいずれかをワイシャツのボタンホールＨに挿通することが可能となる。そのため、クリーニング店員は、ワイシャツの種類を特に意識すること無く、男性用の洋服のボタンホール又は女性用の洋服のボタンホールのいずれに対しても円滑に本考案に係るクリーニングタッグ１を挿通させることが出来るため、クリーニング店員の操作性を更に向上させる。
【００１９】
そして、図３に示すように、クリーニング店員が、前記本体部１０の長手方向の一方の端部１１を洗濯物ＷのホールＨに挿通し、当該挿通した一方の端部１１を、前記本体部１０の長手方向の他方の端部１２に合わせて、両端部１１、１２をホッチキスＳで止着することで、本考案に係るクリーニングタッグ１が洗濯物Ｗに取り付けられる。
【００２０】
ここで、本考案に係るクリーニングタッグ１の丸み角部が、全て同じ形状である場合、例えば、図４に示すように、クリーニングタッグ１の一方の端部１１をボタンホールＨに挿通し、他方の端部１２に正確に重ね合せた場合にのみ、ワイシャツに付けられたクリーニングタッグ１の両端部１１、１２の丸み角部１１ａ、１１ｂ、１２ａ、１２ｂが全体として綺麗な丸みになる。一方、クリーニングタッグ１の一方の端部１１が他方の端部１２にずれて重ね合わされた場合（正確に重ね合わされない場合）、重ね合せた後のクリーニングタッグ１の両端部１１、１２の丸み角部１１ａ、１１ｂ、１２ａ、１２ｂが綺麗な丸みにならない。つまり、クリーニング店員は、重ね合せた後のクリーニングタッグ１の両端部１１、１２の丸み角部１１ａ、１１ｂ、１２ａ、１２ｂが綺麗な丸みか否かを確認することで、クリーニングタッグ１の両端部１１、１２が正確に重ね合わさっているか否かを確認することが出来る。
【００２１】
これは、毎日、多くのワイシャツのボタンホールＨにクリーニングタッグ１を一つ一つ装着している多忙なクリーニング店員にとって、単に、ボタンホールＨに挿通し易いという操作性（生産性）の向上だけでなく、両端部１１、１２の重ね合わせ時に、クリーニングタッグ１の正しい装着形態の確認も出来るという利点があり、クリーニング店員にとって、大変役に立つ機能である。このような機能は、図４に示すように、一方の端部だけ丸みを設けた従来のクリーニングタッグには無い。
【００２２】
更に、本考案に係るクリーニングタッグ１が取り付けられた洗濯物Ｗを洗濯機に入れて洗濯する場合、図５に示すように、洗濯物の表面に現れるクリーニングタッグ１の両端部１１、１２は丸みを帯びていることから、洗濯物を洗濯機で洗濯している最中に、この両端部１１、１２が洗濯物に引っ掛かることを防止し、当該洗濯物の損傷を確実に防止することが可能となる。洗濯物Ｗの損傷は、本クリーニングタッグ１を取り付けた洗濯物であっても、当該洗濯物と一緒に洗濯機に投入される他の洗濯物であっても、防止することが出来る。
【００２３】
仮に、クリーニングタッグ１の一方の端部１１を、他方の端部１２に正確に重ね合わせることなく、本体部１０の中央近傍の位置にホッチキスＳで止着したとしても、洗濯物の表面に現れるクリーニングタッグ１の他方の端部１２は丸み角部１２ａ、１２ｂで構成されていることから、上述と同様に、洗濯物の損傷を確実に防止することが可能となる。
【００２４】
尚、従来のクリーニングタッグでは、両端部が全て角状であるため、洗濯中に両端部が洗濯物に引っ掛かる可能性があり、当該洗濯物の損傷を防止することが出来ない。
【００２５】
このように、本考案は、クリーニング店員の操作性に優れていることから、後述する実施例に示すように、本考案に係るクリーニングタッグ１をワイシャツのボタンホールＨに挿通して止着するまでに要する止着時間を、長手方向の両端部の全ての角部が角状であるクリーニングタッグ（従来のクリーニングタッグ）の止着時間と比較して短くする。これにより、クリーニング店員の手間を軽減することが可能となる。
【００２６】
ここで、丸み角部１１ａ、１１ｂ、１２ａ、１２ｂの形状に特に限定は無く、例えば、図６に示すように、角部６の直角を形成する二辺６１、６２に内接する円弧６３を描き、当該円弧６３に沿って、全ての角部６を角状（直角状）から扇状に切断しても良い。このように構成することで、ボタンホールＨへのクリーニングタッグ１の挿通を更に円滑にすることが出来る。又、クリーニングタッグ１の設計や切断加工が容易になるとともに、洗濯物Ｗに対する引っ掛かりを確実に防止出来る。
【００２７】
又、図６に示すように、全ての角部６の角状を単に切断しても良いし、全ての角部６を多角形状に切断して、全ての角部６に、多角形状な丸みを帯びるように構成しても良い。又、長軸が長手方向に沿った楕円６４に沿って、全ての角部６を切断しても、長軸が短手方向に沿った楕円６５に沿って、全ての角部６を切断しても良い。又、各角部６の形状は、全て同一であると好ましいが、全て異なっていても、一部同一であっても構わない。
【００２８】
又、止着される一方の端部１１の位置は、他方の端部１２の位置でも本体部１０の中央近傍の位置でも良い。又、図７に示すように、本クリーニングタッグ１の表面には、氏名、タッグ番号、担当者、場所、後処理、金額等の必要事項１３が印刷されたり記入されたりする。又、本クリーニングタッグ１の表面には、折り曲げ等の目安となる目安線１４が設けられる場合もある。更に、本クリーニングタッグ１の表面には、管理用のバーコードが印字されたり、単に、数字のみが印字されたりしても良い。
【実施例】
【００２９】
以下、実施例、比較例等によって本考案を具体的に説明するが、本考案はこれにより限定されるものではない。
【００３０】
＜実施例１、比較例１＞
図２に示す本考案に係るクリーニングタッグ１を実施例１のクリーニングタッグとした。又、図２に示す従来のクリーニングタッグ２（長手方向の両端部の全ての角部が角状であるクリーニングタッグ）を比較例１のクリーニングタッグとした。
【００３１】
＜評価方法＞
複数のワイシャツのボタンホールにそれぞれクリーニングタッグを挿通して止着する試験を実施した。この試験では、１０枚のワイシャツ（多種）のボタンホールに特定の種類（実施例１か比較例１）のクリーニングタッグをそれぞれ挿通して止着までに要する時間（止着時間）を、実施例１のクリーニングタッグと、比較例１のクリーニングタッグとでそれぞれ測定した。
【００３２】
実施例１のクリーニングタッグにおける測定止着時間と、比較例１のクリーニングタッグにおける測定止着時間とを比較して、測定止着時間が短いクリーニングタッグは操作性が良いと判断する。又、測定止着時間が短ければ、単位時間当たりに止着出来るクリーニングタッグの数は多くなるから、測定止着時間が短いクリーニングタッグは生産性が良いと判断する。個人差があるため、異なる二人（Ａ氏、Ｂ氏）で試験を実施した。
【００３３】
＜評価結果＞
試験の結果、図８に示すように、Ａ氏の場合、実施例１のクリーニングタッグにおける測定止着時間が２分１５秒であるのに対し、比較例１のクリーニングタッグにおける測定止着時間が２分２７秒であった。又、Ｂ氏の場合、実施例１のクリーニングタッグにおける測定止着時間が２分２４秒であるのに対し、比較例１のクリーニングタッグにおける測定止着時間が２分４８秒であった。つまり、両者とも、実施例１のクリーニングタッグにおける測定止着時間が短く、操作性、生産性が良いことが分かる。
【００３４】
又、Ａ氏、Ｂ氏に、クリーニングタッグの操作性について感想を聞くと、二人とも共通して、両端部の角部が丸い実施例１のクリーニングタッグの方が、両端部の角部が角状の比較例１のクリーニングタッグと比較して、断然、スムーズに、引っ掛かりも無く、ワイシャツのボタンホールに挿通出来て、止着の位置も合わせ易いとのことであった。
【００３５】
従って、実施例１のクリーニングタッグの機能性は、比較例１のクリーニングタッグと比較して優れていると思料する。
【００３６】
尚、一方の端部だけ丸みを設けた比較例２のクリーニングタッグを想定した場合、比較例２のクリーニングタッグの他方の端部は角状で、比較例１のクリーニングタッグと同様であるから、実施例１のクリーニングタッグの操作性は、比較例２のクリーニングタッグと比較して優れていると思料する。
【産業上の利用可能性】
【００３７】
以上のように、本考案に係るクリーニングタッグは、ワイシャツのボタンホールに取り付けるクリーニングタッグとして有用であり、クリーニング店員の操作性に優れ、クリーニング店員の手間を軽減することが可能なクリーニングタッグとして有効である。
【符号の説明】
【００３８】
１  クリーニングタッグ
１０  本体部
１１  一方の端部
１２  他方の端部
１３  必要事項
１４  目安線
Ｗ  洗濯物
Ｈ  ワイシャツのホール
Ｓ  ホッチキス
【図１】
0003203792.tif 000003
【図２】
0003203792.tif 000004
【図３】
0003203792.tif 000005
【図４】
0003203792.tif 000006
【図５】
0003203792.tif 000007
【図６】
0003203792.tif 000008
【図７】
0003203792.tif 000009
【図８】
0003203792.tif 000010